【事件の表示】
　特許第３３１４１４４号「乾燥機」の請求項１ないし１０に係る特許に対する特許異議の申立てについて、次のとおり決定する。
【結　論】
　訂正を認める。
　特許第３３１４１４４号の請求項１ないし５、７ないし１０に係る特許を取り消す。
　同請求項６に係る特許を維持する。
【理　由】
１．手続の経緯
　特許第３３１４１４４号（請求項の数１０）に係る発明についての出願は、平成９年２月２７日に特許出願され、平成１４年５月３１日にその発明について特許権の設定登録がなされ、その後、全請求項に係る特許について、申立人・株式会社東芝より特許異議の申立がなされ、平成１６年５月１４日付けで取消しの理由が通知され、その指定期間内である平成１６年７月２２日に訂正請求がされたものである。
　
２．訂正の適否についての判断
（１）訂正の内容
　ア．訂正事項ａ
　　特許請求の範囲の請求項１中の「前記ドラム内の温度が所定の殺菌温度に到達してから一定時間の間、除湿用熱交換器の機能を停止させ、加熱するだけの専用コース」を「前記ドラム内の温度が所定の殺菌温度に到達してから一定時間の間、
前記加熱手段をＯＮ／ＯＦＦさせ所定の温度幅に入るように制御し、冷却水用給水弁を閉じて
　イ．訂正事項ｂ
　　明細書の段落【００１６】中の「火傷を防止するこのができる」を「火傷を防止するこ
と
　ウ．訂正事項ｃ
　　特許請求の範囲の請求項１０中の「制御すること特徴とする」を「制御すること
を
　
（２）訂正の目的の適否、新規事項の有無及び拡張・変更の存否
　上記訂正事項ａは、発明を特定する事項である「加熱するだけの専用コース」における制御内容を、願書に添付された明細書の段落【００１６】、【００５８】及び【００５９】の記載に基いて限定するものであるから、特許請求の範囲の減縮を目的とした明細書の訂正に該当し、新規事項の追加に該当しない。
　また、上記訂正事項ｂ及びｃは、誤記の訂正を目的とした明細書の訂正に該当し、新規事項の追加に該当しない。
　そして、上記いずれの訂正事項も、実質上特許請求の範囲を拡張し、又は変更するものでもない。
　
（３）むすび
　以上のとおりであるから、上記訂正は、特許法第１２０条の４第２項及び同条第３項において準用する同法第１２６条第２項及び第３項の規定に適合するので、当該訂正を認める。
　
３．特許異議の申立てについての判断
（１）本件発明
　上記２．で示したように上記訂正が認められるから、本件の請求項１ないし１０に係る発明（以下、「本件発明１」ないし「本件発明１０」という。）は、上記訂正請求に係る訂正明細書（以下、「本件明細書」という。）の特許請求の範囲の請求項１ないし１０に記載された事項により特定される次のとおりのものである。
　【請求項１】　衣類等の被乾燥物を収容するドラムと、該ドラムを回転駆動する駆動モータと、加熱手段と、該加熱手段により加熱された空気をドラム内に送風する送風手段と、前記ドラム内の温度を検出する温度検出手段と、該温度検出手段の検出値に応じて前記加熱手段を制御する制御部とを備え、前記ドラム内の空気を排気する排気口には排気ダクトを介して除湿用熱交換器の一方を連通させる共に、該除湿用熱交換器の他方には前記送風手段の吸い込み側を連通させ、この除湿用熱交換器内には冷却水を供給させることでドラム内からの高温高湿空気と前記冷却水とを接触させ、前記高温高湿空気を冷却し除湿するようにした乾燥機において、前記ドラム内の温度が所定の殺菌温度に到達してから一定時間の間、前記加熱手段をＯＮ／ＯＦＦさせ所定の温度幅に入るように制御し、冷却水用給水弁を閉じて除湿用熱交換器の機能を停止させ、加熱するだけの専用コースを設けたことを特徴とする乾燥機。
　【請求項２】　上記所定の殺菌温度範囲を一定の時間保持した後、加熱手段を停止するとともに、除湿用熱交換器を動作させ、ドラム内の衣類等の被乾燥物を冷却する工程を付加したことを特徴とする請求項１記載の乾燥機。
　【請求項３】　上記ドラム内の衣類の容量を検知し、その結果に基づいて所定の殺菌温度を保持する時間を変化させることを特徴とする請求項１乃至請求項２記載の何れか一つの乾燥機。
　【請求項４】　上記ドラム内の衣類の容量を検知し、その結果に基づいてドラム内の衣類を冷却する工程の時間を設定するように制御することを特徴とする請求項２記載の乾燥機。
　【請求項５】　上記ドラム内の温度をドラムから排気される温風の温度で制御することを特徴とする請求項１乃至請求項３記載の何れか一つの乾燥機。
　【請求項６】　該ドラムから排気される温風温度の検出を、決められたドラムの回転方向の場合にのみ行うことを特徴とする請求項４記載の乾燥機。
　【請求項７】　上記ドラムの温度が所定の殺菌温度に到達してから、一定時間の間は一時停止を受け付けないように制御することを特徴とする請求項１乃至請求項６記載の何れか一つの乾燥機。
　【請求項８】　上記運転途中で一時停止され、再スタートされた場合は、最初の工程から運転することを特徴とする請求項１乃至請求項６記載の何れか一つの乾燥機。
　【請求項９】　上記運転途中で運転が中断された場合は、運転が中断されたことを示す報知を行うことを特徴とする請求項１乃至請求項７記載の何れか一つの乾燥機。
　【請求項１０】　上記加熱工程中はドラムを交互に逆方向に回転するよう制御することを特徴とする請求項１乃至請求項９記載の何れか一つの乾燥機。
　
（２）申立の理由の概要
　特許異議申立人は、本件発明１ないし１０は、甲第１号証ないし甲第５号証に記載された発明に基いて当業者が容易に発明をすることができたものであるから、当該発明の特許は特許法第２９条第２項の規定に違反してなされたものであり、同法第１１３条第１項第２号の規定により取り消されるべきである旨主張している。
　
（３）引用刊行物
　ア．当審が通知した取消しの理由で引用した刊行物１（特開平７−３２８２９０号公報、申立人の提出した甲第１号証）には、衣類乾燥機に関するものであって、第１〜９図と共に次の事項が記載されている。
　・「衣類を収容する乾燥庫と、乾燥用空気を循環する空気経路と、この空気経路途中に配設した衣類を乾燥させる熱源と、前記空気経路に連通して配設し前記乾燥用空気と水を熱交換する熱交換器と、前記熱交換器の入口水温を検知する第１温度検知手段と、乾燥機の動作を制御する制御手段とを備え、前記制御手段は、前記第１温度検知手段の出力と前記熱源の熱量により前記熱交換器に供給する冷却水量を制御するようにした衣類乾燥機。」（第２頁第１欄【請求項１】）
　・「乾燥庫からの排気温度を検知する排気温度検知手段を備え、制御手段は、排気温度が一定温度以上になったときより所定時間経過するまで、冷却水の供給を停止するようにした請求項１〜５のいずれか１項に記載の衣類乾燥機。」（第２頁第１欄【請求項６】）
　・「さらに、乾燥庫内において効率よく衣類に付いた雑菌あるいはダニなどを死滅させることを第６の目的としている。」（第３頁第３欄段落【００１０】）
　・「また、第６の目的を達成するために、上記第１から第５の課題解決手段に加えて、乾燥庫からの排気温度を検知する排気温度検知手段を備え、制御手段は、排気温度が一定温度以上になったときより所定時間経過するまで、冷却水の供給を停止するようにしたことを第６の課題解決手段としている。」（第３頁第４欄段落【００１６】）
　・「さらに、第６の課題解決手段により、乾燥庫内の温度を冷却水の水量によって、制御できることを雑菌、ダニの死滅に積極的に利用するものである。雑菌、ダニの死滅には５５℃以上の温度でかつ湿度は高い程、効果的であると確認されている。そこで、このように殺菌効果を期待する場合には、運転初期から冷却水の供給を停止し、庫内温度の上昇速度を促進し、庫内温度が５５℃まで上昇した時点から一定時間この温度を維持するように水量を制御する。この期間中に殺菌を行い、その後は上記第１〜５の課題解決手段により、通常の乾燥のための水量制御を行う。このことにより、雰囲気温度、水温が低く通常の水量制御運転では庫内温度が殺菌に有効な温度にまで上昇しない場合においても、水量を少なく制御することで可能となる。」（第４頁第５欄段落【００２３】）
　・「図１に示すように、乾燥機本体１は、内部に回転ドラム（乾燥庫）２を後面で回転自在に軸支し、前面で円環状のドラム前支持板３の外周フランジ部で摺動支持している。回転ドラム２は、電動機４、ドラムベルト５によって駆動される。乾燥機本体１の前面に衣類投入口６を設けている。ヒータ７は、回転ドラム２内に流入する乾燥用空気を加熱するもので、回転ドラム２の後部に設けたケーシング８内にファン９を配設し、このファン９を電動機４、ファンベルト１０によって回転駆動するようにしている。このファン９は乾燥機本体１内における加熱循環空気の送風機能を有している。
　熱交換器１１は、冷却水で循環空気を冷却除湿するもので、熱伝導率の高い冷却パイプ１２とこれに直角に挿入した冷却フィン１３より構成して熱交換器ケース１４内に収納配置している。ケーシング８と熱交換器ケース１４をダクト１５で連通して、ファン９からの循環空気がケーシング８、ダクト１５、熱交換器ケース１４を通りヒータ７に至る空気経路１６を構成している。フィルター１７は、回転ドラム２の後面に設置し、糸屑などを除去する。裏板１８は乾燥機本体１の後面を覆うものである。排水口１９は、熱交換器ケース１４の下部に形成され、熱交換器１１の熱交換作用によって生じた凝縮水を排出する。」（第４頁第５〜６欄段落【００２５】〜【００２６】）
　・「つぎに、本発明の第６の実施例について説明する。図２における制御手段は、排気温度が一定温度以上になったときより所定時間経過するまで、冷却水の供給を停止し、その後前述した実施例と同様の水量制御を行うようにしている。他の構成は上記第１の実施例と同じである。なお、上記第２から第５の実施例の各制御手段についても同様である。
　上記構成において動作を説明すると、使用者が入力設定手段２８により、衣類に付着した雑菌およびダニの死滅させる運転行程を使用者が選択すると、給水のみ停止した状態で、ヒータ７は通常に運転を開始する。このため、熱交換器１１での冷却がなく、回転ドラム２内の温度は急激に上昇し、かつ湿度も非常に高い状態を実現することができる。排気温度が一定温度（５５℃程度）に達した時点からは、衣類の量に応じて所定時間（１０〜３０分程度）この温度を維持するよう冷却水の制御を行う。その後は、衣類の乾燥を目的に、前述した第１〜５の実施例と同様の制御を行なう。
　このように本実施例によれば、通常の乾燥行程では使用雰囲気温度や水温が低くく、回転ドラム２内の温度が雑菌の死滅に必要な温度にまで達しない場合にも、かならず上昇することができ、使用者の選択により衣類の殺菌およびダニの駆除を確実に行うことができる。」（第６〜７頁第１０〜１１欄段落【００５５】〜【００５７】）
　・「また、乾燥庫からの排気温度を検知する排気温度検知手段を備え、制御手段は、排気温度が一定温度以上になったときより所定時間経過するまで、冷却水の供給を停止するようにしたから、通常の乾燥行程では使用雰囲気温度や水温が低くく、乾燥庫内温度を雑菌の死滅に必要な温度にまで上昇できない場合にも、冷却水による循環空気の低下を抑制し、強制的に庫内温度を上昇することができる。したがって、使用者の選択により、通常の乾燥行程とは別に衣類の殺菌およびダニの駆除を低温、低水温の条件下においても確実に行うことができる。」（第８頁第１３欄段落【００６５】）
　・また、第１，２図には、回転ドラム２、電動機４、ヒータ７、ファン９、排気温度検知手段２２、制御装置２５、ダクト１５、熱交換器１１を備えた衣類乾燥機の構成が示されている。
　これらの記載事項及び図示内容によれば、刊行物１には、
「衣類を収容する回転ドラム２と、乾燥用空気を循環する空気経路１６と、該回転ドラム２を回転駆動する電動機４と、ヒータ７と、該ヒータ７により加熱された空気を回転ドラム２内に送風するファン９と、前記回転ドラム２内からの排気温度を検出する排気温度検知手段２２と、該排気温度検知手段２２の検出値に応じて前記ヒータ７を制御する制御装置２５とを備え、前記回転ドラム２内の空気を排気する排気口にはダクト１５を設け、ファン９からの循環空気が該ダクト１５を介して連通した熱交換器１１を経てヒータ７に至る空気経路１６を構成し、この熱交換器１１内には冷却水を供給させることで、前記乾燥用空気を冷却し除湿するようにした乾燥機において、殺菌効果を期待する場合には、運転初期から冷却水の供給を停止し、前記回転ドラム２内の温度が５５℃まで上昇した時点から一定時間この温度を維持するように水量を制御し、この期間中に殺菌を行うようにした衣類乾燥機」の発明（以下、「引用発明１」という。）が記載されているものと認められる。
　
　イ．同じく引用した刊行物２（特開平４−１９７３９９号公報、申立人の提出した甲第２号証）には、衣類乾燥機に関するものであって、第１〜５図と共に次の事項が記載されている。
　・「温風運転後、予測された乾燥物の容量に合わせて冷風運転を２〜１０分行うよう制御することを特徴とした衣類乾燥機。」（第１頁右下欄特許請求の範囲の第４項）
　・「上記目的を達成するため、運転スタート後、運転前の衣類のかたまりやしわを取るに要する必要最小限の時限で温風運転した後、運転を停止するような運転制御をすることにより達成される。さらに、他の目的を達成するために、運転スタート後、まず乾燥物の容量を予測する容量予測運転を行い、予測された乾燥物の容量に合わせて、容量が多い場合には温風運転および冷風運転を長く、容量が少ない場合には温風運転および冷風運転を短くして運転を停止する運転制御をすることにより達成される。」（第２頁左下欄第２〜１２行）
　・「さらには、衣類や投入口を冷やすための冷風運転時間も容量により変えるので、余分な冷風運転時間が無く、効率的に吊り干し乾燥作業を行うことができる。」（第２頁右下欄第６〜９行）
　・「一方図４は、洗濯時についたからまりやしわを取るに要する温風運転時間および温風運転後の衣類と衣類投入口３を使用者が熱く感じなくなるに要する冷風運転時間でありこれを容量ごとに示したものである。この情報は制御装置７に記憶されており、前記容量予測運転により予測された容量により温風運転時間Ｔ１および冷風運転時間Ｔ２を決定し、制御装置は、決定された温風運転時間Ｔ１，冷風運転時間Ｔ２だけ運転を行った後、運転停止の指令を出すわけである。」（第３頁右上欄第１６行〜左下欄第５行）
　・「冷風運転を衣類の大小によらず、衣類や衣類投入口が冷えるに要する最短の時間で効率的に冷やすことができ、より安全に衣類の取り出しを行うことができる。」（第３頁右下欄第１５〜１９行）
　
　ウ．同じく引用した刊行物３（実公平６−３２０７７号公報、申立人の提出した甲第３号証）には、乾燥機の制御装置に関するものであって、第１〜１２図と共に次の事項が記載されている。
　・「上記問題点解決手段において、遅延手段４は、運転開始手段２による運転開始信号Ｙ２の発生後回転ドラム１内が一定温度に達するまでは回転ドラム１の逆転信号Ｙ４を発生しない。そのため、運転初期の被乾燥物の温度を上昇させている段階においては逆転動作が行われず、その間の温度上昇率が低下することを防止でき、乾燥終了までの時間を短縮することができる。そして、回転ドラム１内が一定温度に達した後は、間欠的にＹ４を発生するため、被乾燥物を絡みつくことも防止できる。」（第２頁第３欄第４０〜４９行）
　・「まず、乾燥開始スイッチ２をオンすると、運転開始信号Ｙ２が発生し、これを受けた正転手段３は正転信号Ｙ３を発生し、第一トライアック４２および第三トライアック４４を導通状態とし、電動機１５およびヒータ２４に通電し、回転ドラム１が回転するとともにヒータ２４が発熱する。このとき、同時に両翼ファン２２も回転を開始する（Ｓ１１）。」（第３頁第５欄第４３〜４９行）
　・「そこで、本実施例では、温度変化が平坦な区間Ｂに入ったことが検出されると遅延手段４が動作し、逆転手段５に間欠的な回転ドラム１の反転駆動を行なわせる。そのため、回転ドラム１の内部が一定温度に達するまでの時間が長くなることを防止でき、乾燥終了までの時間を短縮できる。」（第３頁第６欄第６〜１１行）
　・「回転ドラム内が一定温度に達するまでは回転ドラムの逆転信号が発生しないため、運転初期の非乾燥物の温度を上昇させている段階において逆転動作が行われず、その間の温度上昇率が低下することを防止でき、乾燥終了までの時間を短縮することができる。」（第５頁第９欄第２〜６行）
　・「回転ドラム内が一定温度に達した後は、間欠的に逆転信号を発生するため、非乾燥物が絡みつくことも防止できるといった優れた効果がある。」（第５頁第９欄第１２〜１５行）
　
　エ．同じく引用した刊行物４（特開平５−４９７８３号公報、申立人の提出した甲第４号証）には、全自動洗濯機に関するものであって、第１〜７図と共に次の事項が記載されている。
　・「電源スイッチの他にスタートスイッチと兼用した一時停止スイッチと、運転内容を選択する複数のコース選択スイッチとを有し、運転中の運転内容を変更するとき、一時停止スイッチを操作する全自動洗濯機において、前記のスイッチの他に、チャイルドロックスイッチを設け、このチャイルドロックスイッチの操作によって、前記電源スイッチまたは一時停止スイッチのみの入力信号を受けつけない制御回路を設けたことを特徴とする全自動洗濯機。」（第２頁第１欄【請求項１】）
　・「以上の運転の仕方は従来の仕方と同じである。もし、運転中に、幼児のいたずらや、使用者の不注意またはネコのとび乗りなどによって、洗濯中に電源スイッチ２１やスタートスイッチ２２を操作される恐れのある場合は、電源スイッチ２１を押して、コース１スイッチ２４やコース２スイッチ２５でもって選択コースを選択した後、スタートスイッチ２２を押す時に、チャイルドロックスイッチ２６を同時に押すと、マイコンには、二つのスイッチの信号が同時に入力され、チャイルドロックスイッチ２６の左横のＬＥＤ２８が点灯する。」（第３頁第４欄段落【００２９】）
　・「すると、洗濯機はその設定されたプログラム通りに運転される。そしてそのままの状態にして運転を継続しておくと、その間、幼児がいたずたをしたり、使用者が不注意でまたネコが操作部に乗って、電源スイッチ２１や一時停止スイッチ２２を押しても運転は停止することなく、運転は継続される。」（第３頁第４欄段落【００３０】）
　・「また上記運転状態で、チャイルドロックスイッチ２６と電源スイッチ２１を同時に押すことによって、洗濯機の運転状態が解除されＬＥＤ２７はすべて消え、洗濯機の運転が停止する。そして、運転終了後は、チャイルドロックスイッチ２６の設定は解除される。なお、上記チャイルドロックスイッチ２６を押しての運転中は、前記したように電源スイッチ２１，スタートスイッチ２２を単独で押しても受付けず、終了予約スイッチ２３，コース１スイッチ２４，コース２スイッチ２５，チャイルドロックスイッチ２６の入力をも受付けない。」（第４頁第５〜６欄段落【００３８】）
　
　オ．同じく引用した刊行物５（実用新案登録第２５０７７８８号公報、申立人の提出した甲第５号証）には、洗濯機に関するものであって、第１〜３図と共に次の事項が記載されている。
　・「通常は洗濯開始により投入洗剤は回転翼によって攪拌され、洗濯水の濁度は上がるが、洗剤未投入であれば濁度の上昇はない。濁度センサが検出した濁度を設定値と比較し、そこまで上がればそのまま洗濯行程を続けるが、設定値以下であれば洗濯行程を中断し、使用者にブザー等で教え、次にスタートキーが操作されれば、当然この間に洗剤が投入されたとして、洗濯行程を中断以降或るいは、最初から実行していくのである。」（第２頁第３欄第２１〜２８行）
　・「しかし、洗剤が投入されていなければ、判別部出力があり、制御手段20の中断制御部25は表示、報知装置22を作動させて使用者に洗剤未投入を知らせると共に、駆動モータ７を停止させてしまう。かくして、使用者は洗剤を投入するところとなるが、ついでスタートキー21を再度操作すると、制御手段20の解除制御部26は中断を解除し、給水後の洗濯行程を最初から実行させる。無論２分後には濁度を検出して洗剤投入を確認する。」（第２頁第４欄第２６〜３４行）
　・「本考案によれば、洗剤の未投入状態で洗濯行程を開始した場合、洗剤未投入の検出にて洗濯行程を中断し使用者に知らせる構成としたものであり、従って、洗剤未投入状態で実質的に洗濯にならない行程を無駄に実行してしまうと云うことがなく、極めて使い勝手の良い洗濯機を提供することができる。」（第２頁第４欄第３６〜４１行）
　
（４）対比・判断
　ア．本件発明１について
　　本件発明１と引用発明１とを対比すると、後者における「衣類」がその作用・機能からみて前者における「衣類等の被乾燥物」に相当し、以下同様に、「回転ドラム２」が「ドラム」に、「電動機４」が「駆動モータ」に、「ヒータ７」が「加熱手段」に、「ファン９」が「送風手段」に、「回転ドラム２内からの排気温度」が「ドラム内の温度」に、「排気温度検知手段２２」が「温度検出手段」に、「制御装置２５」が「制御部」に、「ダクト１５」が「排気ダクト」に、「熱交換器１１」が「除湿用熱交換器」に、「乾燥用空気」が「高温高湿空気」に、「衣類乾燥機」が「乾燥機」に、「回転ドラム２内の温度が５５℃まで上昇した時点から一定時間」が「ドラム内の温度が所定の殺菌温度に到達してから一定時間の間」に、「この温度を維持する」が「所定の温度幅に入る」に、「この期間中に殺菌を行うようにした」が「専用コースを設けた」に、それぞれ相当している。
　したがって、両者は、「衣類等の被乾燥物を収容するドラムと、該ドラムを回転駆動する駆動モータと、加熱手段と、該加熱手段により加熱された空気をドラム内に送風する送風手段と、前記ドラム内の温度を検出する温度検出手段と、該温度検出手段の検出値に応じて前記加熱手段を制御する制御部とを備え、前記ドラム内の空気を排気する排気口には排気ダクトを介して除湿用熱交換器を連通させ、この除湿用熱交換器内には冷却水を供給させることで、前記高温高湿空気を冷却し除湿するようにした乾燥機において、前記ドラム内の温度が所定の殺菌温度に到達してから一定時間の間、所定の温度幅に入るように制御（する）専用コースを設けた乾燥機」において一致し、次の点で相違する。
（相違点１）
　除湿用熱交換器の配置構成に関し、本件発明１が、排気ダクトを介して除湿用熱交換器「の一方」を連通させると共に、「該除湿用熱交換器の他方には送風手段の吸い込み側を連通させ」、かつ、「ドラム内からの高温高湿空気と冷却水とを接触させ」るとしたのに対し、引用発明１が、除湿用熱交換器を排気ダクトを介して連通させているものの、送風手段の吸い込み側を連通させた構成とされておらず、また、冷却水が冷却パイプと冷却フィンを介して高温高湿空気と接触している点。
（相違点２）
　専用コースに関し、本件発明１が、「加熱手段をＯＮ／ＯＦＦさせ」ることにより所定の温度幅に入るように制御し、「冷却水用給水弁を閉じて除湿用熱交換器の機能を停止させ、加熱するだけ」としたのに対し、引用発明１が、「水量を制御」することにより所定の温度幅に入るようにした点。
　
　以下、上記相違点について検討する。
・相違点１について
　除湿用熱交換器の配置構成に関し、ドラム内の空気を排気する排気口には排気ダクトを介して除湿用熱交換器の一方を連通させると共に、該除湿用熱交換器の他方には前記送風手段の吸い込み側を連通させ、かつ、ドラム内からの高温高湿空気と冷却水とを接触させるようにすることは、例えば、本件明細書中で従来例として記載されている（段落【０００３】〜【０００８】及び第７，８図参照。）ように、本件特許権者も熟知している周知技術にすぎない。
　したがって、引用発明１において、除湿用熱交換器の配置構成をかかる周知技術に倣い改変することにより、相違点１に係る本件発明１の構成とする程度のことは、当業者にとって容易である。
・相違点２について
　刊行物１には、ドラム内の温度が所定の殺菌温度に到達してから一定時間の間、冷却水の供給を停止すること、即ち、冷却水用給水弁を閉じて除湿用熱交換器の機能を停止させることが開示されている。（第１欄【請求項６】、第４欄段落【００１６】参照。）
　また、加熱手段をＯＮ／ＯＦＦさせ所定の温度幅に入るように制御することは、加熱装置における常套手段である。
　そうすると、引用発明１における殺菌のための専用コースとして、所定の温度幅に入るように制御する際に、水量を制御する代わりに、冷却水用給水弁を閉じて除湿用熱交換器の機能を停止させ、加熱手段をＯＮ／ＯＦＦさせることにより、相違点２に係る本件発明１の構成とすることは、当業者が必要に応じて適宜採用し得る設計的事項というべきである。
　
　そして、本件発明１により奏される効果は、上記刊行物１に記載された技術内容及び周知技術から予測し得る範囲内のものである。
　したがって、本件発明１は、上記刊行物１に記載された発明及び周知技術に基いて当業者が容易に発明をすることができたものというべきである。
　
　イ．本件発明２について
　　本件発明２は、本件発明１に「所定の殺菌温度範囲を一定の時間保持した後、加熱手段を停止するとともに、除湿用熱交換器を動作させ、ドラム内の衣類等の被乾燥物を冷却する工程を付加した」構成をさらに限定したものである。
　ところで、刊行物２には、温風運転した後に冷風運転する衣類乾燥機、即ち、加熱手段による温風運転をした後に加熱手段を停止するとともに、ドラム内の衣類等の被乾燥物を冷却する工程である冷風運転を付加することにより、衣類や衣類投入口を冷やして、より安全に衣類の取り出しを行うことができる衣類乾燥機が記載されているものと認められる。
　そして、引用発明１は、所定の殺菌温度範囲を一定の時間保持（「回転ドラム２内の温度が５５℃まで上昇した時点から一定時間この温度を維持」が相当）する構成及び冷風運転を可能とする除湿用熱交換器を備えており、また一般に、衣類の安全な取り出しは、衣類乾燥機に当然要求される課題であると認められるから、かかる課題の下に、引用発明１に刊行物２に記載の技術を適用し、上記限定した本件発明２の構成とすることも当業者にとって容易であるといえる。
　したがって、上記ア．での検討内容を踏まえれば、本件発明２は、刊行物１、２に記載された発明及び周知技術に基いて当業者が容易に発明をすることができたものというべきである。
　
　ウ．本件発明３について
　　本件発明３は、本件発明１に「ドラム内の衣類の容量を検知し、その結果に基づいて所定の殺菌温度を保持する時間を変化させる」構成をさらに限定した発明を含むものである。
　ところで、刊行物２には、ドラム内の衣類の容量を検知し、その結果に基づいて（「予測された乾燥物の容量に合わせて」が相当）、温風運転及び冷風運転の時間を制御する衣類乾燥機が記載されており、検知したドラム内の衣類の容量に応じて衣類乾燥機の運転時間を制御する技術が開示されているものと認められる。
　そうすると、引用発明１において、「殺菌温度に到達してから一定時間」の運転時間を、検知したドラム内の衣類の容量に応じて制御することにより、上記限定した本件発明３の構成とすることは当業者が容易に想到し得るところであるといえる。
　したがって、上記ア．での検討内容を踏まえれば、本件発明３は、上記刊行物１、２に記載された発明及び周知技術に基いて当業者が容易に発明をすることができたものというべきである。
　
　エ．本件発明４について
　　本件発明４は、本件発明２に「ドラム内の衣類の容量を検知し、その結果に基づいてドラム内の衣類を冷却する工程の時間を設定するように制御する」構成をさらに限定したものであるが、かかる構成は、刊行物２に、ドラム内の衣類の容量を検知し、その結果に基づいて（「予測された乾燥物の容量に合わせて」が相当）、冷風運転の時間を制御する構成として実質的に記載されているところであるから、上記ア．及びイ．での検討内容を踏まえれば、本件発明４は、上記刊行物１、２に記載された発明及び周知技術に基いて当業者が容易に発明をすることができたものというべきである。
　
　オ．本件発明５について
　　本件発明５は、本件発明１に「ドラム内の温度をドラムから排気される温風の温度で制御する」構成をさらに限定した発明を含むものであるが、かかる構成は、引用発明１が、回転ドラム２内からの排気温度を検出する排気温度検知手段２２と、該排気温度検知手段２２の検出値に応じて前記ヒータ７を制御する構成として実質的に具備するところであるから、上記ア．での検討内容を踏まえれば、本件発明５は、上記刊行物１に記載された発明及び周知技術に基いて当業者が容易に発明をすることができたものというべきである。
　
　カ．本件発明６について
　　本件発明６は、本件発明４に「ドラムから排気される温風温度の検出を、決められたドラムの回転方向の場合にのみ行う」構成をさらに限定したものである。
　ところで、本件明細書には、「第７、及び第８の手段はドラム内の洗濯物の温度を判断するために、ドラムから排気される温風の温度を検出する手段を与えると共に、ドラムの回転方向により変化する排気温度の影響を防止し、精度の高い温度検知を行う手段を与えるものである。」（段落【００１４】）、「ドラムからの排気温度の検出ドラムの一方向の場合に限定することで、検出温度が安定し、精度の高い制御が可能となる。」（段落【００１９】）、「加熱運転中はドラムの回転方向を一定時間毎に逆方向に切り替えて、ドラムの中の衣類の絡み付きを少なくするため、加熱ムラがなくなり衣類全体が確実に殺菌できる。」（段落【００２２】）と記載されている。
　これらの記載を参酌すれば、「ドラムから排気される温風温度の検出を、決められたドラムの回転方向の場合にのみ行う」とは、ドラムの回転方向を一定時間毎に逆方向に切り替えて加熱運転することを前提としたものであり、これにより、ドラムの回転方向により変化する排気温度の影響を防止し、精度の高い温度検知を行うことができるという効果が奏されるものと解される。
　一方、刊行物１ないし５には、上記限定した構成が何等記載あるいは開示されておらず、温度検出の精度向上のためにかかる構成を採用することが乾燥機における周知慣用技術であるとも認められない。
　確かに、刊行物３には、乾燥初期には、回転ドラムを正回転させながら回転ドラム内の温度を検出するようにした乾燥機が記載されているが、このものは、回転ドラムの内部が一定温度に達するまでの時間が長くなることを防止する目的で、乾燥初期のドラムの回転方向が単に正回転のみとされているだけであり、回転ドラムを一定時間毎に逆方向に切り替えて運転することを前提としたものでないことは明らかである。
　したがって、本件発明６は、上記刊行物１ないし５に記載された発明に基いて当業者が容易に発明をすることができたものとは到底いえない。
　
　キ．本件発明７について
　　本件発明７は、本件発明１に「ドラムの温度が所定の殺菌温度に到達してから、一定時間の間は一時停止を受け付けないように制御する」構成をさらに限定した発明を含むものである。
　刊行物４には、洗濯機において、いたずらや使用者の不注意等による誤操作から生ずる運転中の一時停止を防止する技術が記載されていると認められる。
　不注意等による誤操作から生ずる運転中の一時停止を防止することは、洗濯機や乾燥機に共通する課題といえるものであるから、かかる課題の下に、引用発明１における「ドラム内の温度が所定の殺菌温度に到達してから一定時間の間」の運転に対し、刊行物４に記載の技術を適用し、上記限定した本件発明７の構成とすることは、当業者が必要に応じて適宜なし得るところである。
　したがって、上記ア．での検討内容を踏まえれば、本件発明７は、上記刊行物１、４に記載された発明及び周知技術に基いて当業者が容易に発明をすることができたものというべきである。
　
　ク．本件発明８について
　　本件発明８は、本件発明１に「運転途中で一時停止され、再スタートされた場合は、最初の工程から運転する」構成をさらに限定した発明を含むものである。
　刊行物５には、運転途中で一時停止（「洗剤が投入されていなければ、駆動モータ７を停止」が相当）され、再スタートされた（「スタートキー21を再度操作する」が相当）場合は、最初の工程から運転する（「給水後の洗濯行程を最初から実行させる」が相当）ことにより、行程を無駄に実行してしまうことなく、極めて使い勝手の良い洗濯機とする技術が記載されていると認められる。
　無駄な行程の実行を無くし、使い勝手を良くすることは、洗濯機や乾燥機に共通する課題といえるものであるから、かかる課題の下に、引用発明１に刊行物５に記載の技術を適用し、上記限定した本件発明８の構成とすることは、当業者が必要に応じて適宜なし得るところである。
　したがって、上記ア．での検討内容を踏まえれば、本件発明８は、上記刊行物１、５に記載された発明及び周知技術に基いて当業者が容易に発明をすることができたものというべきである。
　
　ケ．本件発明９について
　　本件発明９は、本件発明１に「運転途中で運転が中断された場合は、運転が中断されたことを示す報知を行う」構成をさらに限定した発明を含むものである。
　刊行物５には、運転途中で運転が中断（「洗剤が投入されていなければ、駆動モータ７を停止」が相当）された場合は、運転が中断されたことを示す報知を行う（「制御手段20の中断制御部25は表示、報知装置22を作動させて使用者に洗剤未投入を知らせる」が相当）ことにより、無駄な行程を使用者に知らせて使い勝手の良い洗濯機とする技術が記載されていると認められる。
　無駄な行程を使用者に知らせて使い勝手を良くすることは、洗濯機や乾燥機に共通する課題といえるものであるから、かかる課題の下に、引用発明１に刊行物５に記載の技術を適用し、上記限定した本件発明９の構成とすることは、当業者が必要に応じて適宜なし得るところである。
　したがって、上記ア．での検討内容を踏まえれば、本件発明９は、上記刊行物１、５に記載された発明及び周知技術に基いて当業者が容易に発明をすることができたものというべきである。
　
　コ．本件発明１０について
　　本件発明１０は、本件発明１に「加熱工程中はドラムを交互に逆方向に回転するよう制御する」構成をさらに限定した発明を含むものである。
　刊行物３には、乾燥機において、加熱工程中（「回転ドラム内が一定温度に達した後」が相当）はドラムを交互に逆方向に回転するよう制御する（「間欠的に逆転信号を発生する」が相当）ことにより、被乾燥物が絡み付くことを防止する技術が記載されていると認められる。
　被乾燥物の絡み付きを防止することは、乾燥機において当然要求される課題であるから、かかる課題の下に、引用発明１に刊行物３に記載の技術を適用し、上記限定した本件発明１０の構成とすることは、当業者が必要に応じて適宜なし得るところである。
　したがって、上記ア．での検討内容を踏まえれば、本件発明１０は、上記刊行物１、３に記載された発明及び周知技術に基いて当業者が容易に発明をすることができたものというべきである。
　
（５）むすび
　以上のとおり、本件発明１ないし５、７ないし１０は、いずれも、上記刊行物１ないし５に記載された発明及び周知技術に基いて当業者が容易に発明をすることができたものであるから、本件発明１ないし５、７ないし１０についての特許は、特許法第２９条第２項の規定に違反してなされたものであり、特許法第１１３条第２号に該当し、取り消されるべきものである。
　一方、本件発明６についての特許は、異議申立の理由及び証拠によっては取り消すことができない。
　また、他に本件発明６についての特許を取り消すべき理由を発見しない。
　よって、結論のとおり決定する。
【異議決定日】
平成１６年１０月２５日（２００４．１０．２５）
【訂正の要旨】
審決（決定）の【理由】欄参照。
（５４）【発明の名称】
乾燥機
（５７）【特許請求の範囲】
　【請求項１】　衣類等の被乾燥物を収容するドラムと、該ドラムを回転駆動する駆動モータと、加熱手段と、該加熱手段により加熱された空気をドラム内に送風する送風手段と、前記ドラム内の温度を検出する温度検出手段と、該温度検出手段の検出値に応じて前記加熱手段を制御する制御部とを備え、前記ドラム内の空気を排気する排気口には排気ダクトを介して除湿用熱交換器の一方を連通させる共に、該除湿用熱交換器の他方には前記送風手段の吸い込み側を連通させ、この除湿用熱交換器内には冷却水を供給させることでドラム内からの高温高湿空気と前記冷却水とを接触させ、前記高温高湿空気を冷却し除湿するようにした乾燥機において、前記ドラム内の温度が所定の殺菌温度に到達してから一定時間の間、
前記加熱手段をＯＮ／ＯＦＦさせ所定の温度幅に入るように制御し、冷却水用給水弁を閉じて
　【請求項２】　上記所定の殺菌温度範囲を一定の時間保持した後、加熱手段を停止するとともに、除湿用熱交換器を動作させ、ドラム内の衣類等の被乾燥物を冷却する工程を付加したことを特徴とする請求項１記載の乾燥機。
　【請求項３】　上記ドラム内の衣類の容量を検知し、その結果に基づいて所定の殺菌温度を保持する時間を変化させることを特徴とする請求項１乃至請求項２記載の何れか一つの乾燥機。
　【請求項４】　上記ドラム内の衣類の容量を検知し、その結果に基づいてドラム内の衣類を冷却する工程の時間を設定するように制御することを特徴とする請求項２記載の乾燥機。
　【請求項５】　上記ドラム内の温度をドラムから排気される温風の温度で制御することを特徴とする請求項１乃至請求項３記載の何れか一つの乾燥機。
　【請求項６】　該ドラムから排気される温風温度の検出を、決められたドラムの回転方向の場合にのみ行うことを特徴とする請求項４記載の乾燥機。
　【請求項７】　上記ドラムの温度が所定の殺菌温度に到達してから、一定時間の間は一時停止を受け付けないように制御することを特徴とする請求項１乃至請求項６記載の何れか一つの乾燥機。
　【請求項８】　上記運転途中で一時停止され、再スタートされた場合は、最初の工程から運転することを特徴とする請求項１乃至請求項６記載の何れか一つの乾燥機。
　【請求項９】　上記運転途中で運転が中断された場合は、運転が中断されたことを示す報知を行うことを特徴とする請求項１乃至請求項７記載の何れか一つの乾燥機。
　【請求項１０】　上記加熱工程中はドラムを交互に逆方向に回転するよう制御すること
を
【発明の詳細な説明】
　【０００１】
　【発明の属する技術分野】
　本発明は乾燥機、例えば、ドラム式乾燥洗濯機、衣類乾燥機等の乾燥機に関するものである。
　【０００２】
　【従来の技術】
　従来の乾燥機、例えば、乾燥機能を有するドラム式乾燥洗濯機は、数多く提案されており、また、欧州において使用されている洗濯機は、この種のドラム式がほとんどである。この形式の洗濯機は一般に回転ドラムを低速で連続回転して洗濯作業を行うが、この回転ドラムを用いて脱水、乾燥までも容易に行えるようになっている。
　【０００３】
　従来のドラム式乾燥洗濯機の実施の形態を図７及び図８と共に説明する。
　図７は従来のドラム式乾燥洗濯機の実施の形態を示す概略縦断正面図であり、図８は従来のドラム式乾燥洗濯機の実施の形態を示す概略縦断側面図であり、以下図７及び図８にしたがって従来のドラム式乾燥洗濯機の構造、動作の概略を説明する。
　【０００４】
　このドラム式乾燥洗濯機は、洗濯機本体１の内側上端へ防振機構５により懸架された水槽４と、この水槽４の内側で水平軸を中心に回転するように配されたドラム２との二重構造となっている。図８の２１は、操作・表示部分であり、この裏側に制御装置２２が取り付けられている。水槽４は、洗濯液や脱水液を貯え、かつ、排出する機能を有している。また、乾燥時の温風を除湿用熱交換器６へと導くための排気ダクト７を接続するための排気口８を有している。
　【０００５】
　そして、ドラム２はその周壁全体に洗濯時の給水、脱水時の排水、及び、乾燥時の温風を通過させるために多数の小孔、及び洗濯物を持ち上げるためのバッフル３が設けられている。水槽４の上部には空気を循環させるための送風ファン９、ヒータ１０、ヒータ１０を収納するとともに空気の循環経路となる乾燥ダクト１１からなる乾燥ユニットが取り付けられている。
　【０００６】
　本体の正面には洗濯物を出し入れするためのドア１２が設けられており、このドア１２は水槽４との間のドアパッキン１３により密閉する構造となっている。１４はドラム２を回転させるための駆動モータであり、１５は洗濯液等を機外に排出するための排水ポンプである。１６は水槽４と排水ポンプ１５の間の配管経路に設けられた糸屑フィルムである。
　【０００７】
　洗い工程においては、水槽４内、及び、ドラム２の下部に適当な洗剤濃度の洗濯水を入れ、このドラムをモータによって回転させる。ドラム内に入れてある衣類は洗濯水を吸収して持ち上げられて落下し、この落下時にたたき洗いされる。すすぎ工程も同様にドラム２の回転により行われる。脱水はドラム２を高速回転させ、その遠心力を利用して行われる。
　【０００８】
　乾燥工程時には、空気はヒータ１０で温められて、送風ファン９でドラム２内に送り込まれ、洗濯物の湿気を除去する。そこから、水槽４の排気口８から排気ダクト７を通過し、水槽４側面に位置する除湿用熱交換器６で冷水と接触するときの熱交換によって、湿気が凝縮する。冷却され、除湿された乾燥空気は再び送風ファン９に送られて、ヒータ１０で再加熱されてドラム２に再循環される。この動作を繰り返し洗濯物は乾燥される。
　【０００９】
　【発明が解決しようとする課題】
　近年、食中毒の流行等の問題が発生し、清潔さに対する需要が増加している。衣類に於いても、殺菌を行いたいという需要があり、乾燥工程の一部の制御を変え対応している商品が販売されている。しかしながら、洗濯した衣類を乾燥する乾燥運転の一部であり、運転が完了するまでの時間がかかるという問題や殺菌の確実性の問題が課題として残されていた。
　【００１０】
　特公平５−５５１９号公報、及び特公平５−５０９５９号公報に記載のものでは乾燥運転の一部に殺菌運転を組込んでおり、脱水後のぬれた洗濯物を乾燥する処から始めるために運転時間が長くなるという課題がある。また、洗濯物の量や布質に合わせた確実な制御が行えず、洗濯物の量が多い場合など、乾燥ムラが発生し殺菌効果の確実性の面でも課題を残している。
　【００１１】
　本発明は、前記従来の技術が有している課題を解決しようとするものであり、殺菌用の専用コースを乾燥コースと分離し、通常の乾燥コースとは異なった制御を行うことで、簡便、短時間（省エネ）、かつ確実な殺菌効果を有する乾燥機の実現を図るものである。
　【００１２】
　【課題を解決するための手段】
　本発明の乾燥機は上記のような課題を解決したもので、本発明の第１の手段は、殺菌のための専用コース運転時は、除湿用熱交換器の機能を停止させ、昇温時間の短縮を図るものである。また、第２の手段は、所定の殺菌温度を一定の時間保持するための手段を与えるものであり、第１の手段と同様に除湿用熱交換器の機能を停止させ省電力、節水を図っている。
　【００１３】
　そして、第３の手段は、殺菌のための加熱工程が終了した時点で加熱手段を停止すると共に、除湿用熱交換器を動作させ短時間で洗濯物の温度を下げる手段を提供するものである。そしてまた、第４の手段では、除湿用熱交換器を水冷式とし、除湿用熱交換器に冷却水を供給するための給水弁の開閉だけで簡便かつ確実に除湿用熱交換器の機能を制御することができる。
　【００１４】
　さらに、第５、及び第６の手段は、運転開始時にドラム内の洗濯物の量をセンシングし、その結果に基づいて殺菌のための恒温加熱時間、及び冷却時間を設定する手段を設ける。さらにまた、第７、及び第８の手段はドラム内の洗濯物の温度を判断するために、ドラムから排気される温風の温度を検出する手段を与えると共に、ドラムの回転方向により変化する排気温度の影響を防止し、精度の高い温度検知を行う手段を与えるものである。また、第９の手段は、使用者に運転が終了する時間を知らせるものであり、精度の高い、時間で制御する工程の残時間を表示するものである。
　【００１５】
　そして、第１０の手段乃至第１２の手段は、殺菌効果を確実なものとするための制御方法であり、運転途中で一時停止された場合に一時停止キーの受け付けを禁止し、また一時停止を受け付けるように制御する場合は再スタートの段階で最初の工程から始める等の手段を提供するものである。第１３、及び第１４の手段は専用のキー、及び表示を設けることで操作が容易で、選択されたコースや運転状況を使用者に分かりやすく示す手段を与えるものである。第１５の手段は、加熱工程中にドラムの回転方向を交互に変えて、洗濯物の絡み付きを防止して、洗濯物の温度分布を小さくする手段を与えたものである。第１６、及び第１７の手段は洗濯物の厚手の衣類等の種類、木綿等の衣類の質や量により使用者が恒温加熱時の温度を任意に設定できるようにしたもので、使用者が温度設定をしない場合は、布の傷みを防止するため自動的に殺菌効果のある最低設定温度に設定されるようにしたものである。
　【００１６】
　本発明の乾燥機は上記構成にて、除湿用熱交換器の機能を停止させて加熱するため、昇温時間が短縮できると共に、水冷式の場合は冷却水の節水ができる。また、殺菌の死滅温度以上の温度を一定時間保持するため、殺菌効果が確実に得られると共に、上記同様の節水効果が得られる。そして、衣類、及びドア等の温度を下げ、使用者が運転終了後に衣類を取り出す時の火傷を防止するこ
と
　【００１７】
　さらに、衣類の量が多い場合は、恒温加熱時間を延長する等の制御が行えるため確実な殺菌効果が得られる。さらにまた、衣類の量が少ない場合は恒温加熱時間を短く制御することができるため、無駄な電力を使用することなく省エネルギを図ることができる。
　【００１８】
　また、衣類の量が多い場合は、冷却時間を延長するように制御することで使用者が衣類に触れて熱すぎるという不快感を感じることの防止や、火傷の防止ができる。そして、ドラムから排気される温風の温度を検出するため、衣類の温度の判定精度が向上し不必要に高い温度で加熱する必要がなくなり、省電力、衣類の傷みの防止が図れる。
　【００１９】
　そしてまた、ドラムからの排気温度の検出ドラムの一方向の場合に限定することで、検出温度が安定し、精度の高い制御が可能となる。さらに、残時間表示を行うことで使用者に終了時間を知らせることができる。さらにまた、終了までの時間が確定した時点で表示を行うため正確な表示となる。
　【００２０】
　また、恒温加熱中は一時停止を受け付けないようにすることで、殺菌に必要な時間を保持することができ、殺菌効果の低下を防止できる。そして、運転途中で一時停止を受け付ける場合は、再スタートで制御フローの最初に戻すため殺菌に必要な恒温加熱温度と加熱時間を確保でき、殺菌効果が確実なものとなる。例えば、恒温加熱中に短時間一時停止され、再スタートした場合でドラムの排気温度が所定値になっていた場合でも、その時点から再度所定時間恒温加熱を行うことになるため殺菌に必要な時間は確実に確保される。
　【００２１】
　そしてまた、運転中に電源スイッチを切り、放置された場合でも、途中で停止したことを示す表示をおこなうため、使用者は容易に衣類の殺菌ができていないことが分かる。さらに、殺菌のための専用コースを設けるだけではなく、専用のキーと表示を設けることで当該コースの選択が容易になり、乾燥コースとの選択誤りがなくなる等、使用性の向上が図れる。
　【００２２】
　さらにまた、進行表示を乾燥コースの表示と兼用することで、表示部分が繁雑になるのを防止すると共に、当該表示部の点滅方法を変えることで、殺菌コースの進行表示であることが容易に判別できる。また、加熱運転中はドラムの回転方向を一定時間毎に逆方向に切り替えて、ドラムの中の衣類の絡み付きを少なくするため、加熱ムラがなくなり衣類全体が確実に殺菌できる。
　【００２３】
　そして、使用者が衣類の種類や布質を判断し、恒温加熱温度を任意に設定できるため熱に弱い化繊の衣類の傷みを防止できる等の効果がある。そしてまた、使用者が恒温加熱温度を設定しない場合は、自動的に殺菌に必要な最低温度に設定されるため、衣類の傷みが防止できる。
　【００２４】
　【発明の実施の形態】
　以下、本発明の乾燥機の実施の形態をドラム式乾燥洗濯機に実施した場合について説明する。
　【００２５】
　本発明のドラム式乾燥洗濯機は、外箱内に配された水槽内で、水平軸を中心に自在に回転し、かつ内部に洗濯物を収容する回転ドラムと、加熱手段、送風手段、除湿用熱交換器、及び温度検出手段を備え、洗い、すすぎ、脱水、及び乾燥等の一連の洗濯、乾燥動作を一つのドラム内で行うドラム式乾燥洗濯機において、ドラム内の温度が所定の殺菌温度に到達するまでは、除湿用熱交換器の機能を停止させ、加熱するだけの専用コースを設けて構成したものである。
　【００２６】
　また、上記構成において、ドラム内の温度が所定の温度に到達してから一定時間の間は所定の温度範囲に保持するよう加熱手段を制御するものであり、そして、上記構成において、所定の温度範囲を一定の時間保持した後、加熱手段を停止するとともに、除湿用熱交換器を動作させ、ドラム内の衣類を冷却する工程を付加したものである。
　【００２７】
　そしてまた、上記構成において、除湿用熱交換器を水冷式とし、加熱工程と冷却工程の切り替えを冷却水用給水弁の開閉で制御するものである。さらに、上記構成において、ドラム内の衣類の容量を検知し、その結果に基づいて所定の温度を保持する時間を変化させるものである。さらにまた、上記構成において、ドラム内の衣類の容量を検知し、その結果に基づいてドラム内の衣類を冷却する工程の時間を設定するように制御するものである。
　【００２８】
　また、上記構成において、ドラム内の温度をドラムから排気される温風の温度で制御するものである。そして、上記構成において、ドラムから排気される温風温度の検出を、決められたドラム回転方向の場合にのみ行うものである。そしてまた、上記構成において、ドラムからの排気温度が所定の温度に到達した時点で残時間を表示するものである。
　【００２９】
　さらに、上記構成において、ドラム内の温度が所定の温度に到達してから、一定時間の間は一時停止を受け付けないように制御するものである。さらにまた、上記構成において、運転途中で一時停止され、再スタートされた場合は、最初の工程から運転するものである。
　【００３０】
　さらにまた、上記構成において、運転途中で運転が中断された場合は、運転が中断されたことを示す報知を行うものである。また、上記構成において、専用のキー、及び表示を設けたものである。そして、上記構成において、進行状態を示す表示を乾燥コースの表示と兼用するとともに表示の点滅方法で識別するように制御するものである。
　【００３１】
　そしてまた、上記構成において、加熱工程中はドラムを交互に逆方向に回転するよう制御するものである。さらに、上記構成において、所定の温度に制御されるドラム内の温度を切り替える手段と設定された所定の温度の目安を示す表示手段を設けたものである。
　【００３２】
　さらにまた、上記構成において、所定の温度に制御されるドラム内の温度を切り替える手段と設定された所定の温度の目安を示す表示手段を設けたドラム式乾燥洗濯機において、ドラム内の温度を切り替える手段が操作されなかった場合、最も低い設定温度に自動的に設定するように制御するものである。
　【００３３】
　次に、本発明の乾燥機の実施の形態であるドラム式乾燥洗濯機の構造を図面に基づいて説明する。本発明の実施の形態におけるドラム式乾燥洗濯機の基本構成は図１、及び図２に示す。以下、主要な部分及び発明にかかる部分を中心に説明を行う。
　【００３４】
　図１は本発明によるドラム式乾燥洗濯機の内部構造を示す概略縦断正面図、図２は同じく本発明によるドラム式乾燥洗濯機の内部構造を示す概略縦断側面図である。
　【００３５】
　図１及び図２において、１は洗濯機本体、２は衣類（洗濯物、被乾燥物）等を収容する収容体であるドラム、３はバッフル、４は水槽、５は防振機構（つりバネ）、６は除湿用熱交換器、７は排気ダクト、８は排気口、１２はドア、１３はドアパッキン、１４は駆動モータ、１５は排水ポンプ、１６は糸屑フィルタ、１７は洗濯用給水弁、１８は排水ホースである。
　【００３６】
　また、９は空気を循環させる送風機、１０は温風加熱用のヒータ、１１は乾燥用のダクト、１９は冷却水用給水弁、２０はドラムからの排気温度を検出するための温度センサであり、２１は操作・表示部（操作パネル）、２２は制御装置である。
　【００３７】
　そして、２３は給水ホース、２４は電源部、２５は信号入力部、２６は制御部、２７は出力部、２８は負荷部、２９はコンセントプラグ、３０は電源スイッチ、３１は殺菌コースキー、３２は殺菌コース表示部、３３はセグメント表示部、３４は加熱温度選択キー、３５は進行表示部である。
　【００３８】
　ドラム式乾燥洗濯機では、洗濯機本体１内に軸方向が短い、ほぼ円柱形状の回転ドラム２と水槽４とが設けられている。このドラム２は水平方向に回転軸が配設され、回転軸に沿った方向の１端部（回転軸は反対側端部）が開口する洗濯物の投入を行うためのドア１２が配設されている。１３はドアパッキンであり、ゴムなどの弾性体からなるシール材として内嵌されている。
　【００３９】
　従って、ドア１２が閉じたときには、ドアの周縁部と投入口内周縁部とで前記シール材が挟圧されて、洗濯機本体１、及び、水槽４の水密が保持されるようになっている。なお、振動吸収のため、洗濯機本体１の上部から水槽４を防振機構５により懸架されており、これにより水槽４の振動を減衰させる構成である。
　【００４０】
　ドラム２は、洗濯機物を収容して回転するものであって、ドラム２内には、中心軸に向けて突出する山脈状にバッフル３が形成される。水槽４は前記ドラム２を囲んで設けられ、洗濯水（洗剤を含む水、すすぎ水も含む）をためるものである。
　【００４１】
　この洗濯水は、水道につながる高圧ホース２３を通り洗濯用給水弁１７からの水道の開閉を行うことにより水管路を介して水槽４内に供給される（詳しくは、一旦は洗剤ケースに入った後に、水管路を介して水槽４内に供給される）。また、冷却水用給水弁１９を介して、除湿用の冷却水を除湿用熱交換器６内にシャワー状に散水するように水道水を送る構造となっている。
　【００４２】
　水槽４の底部には水槽４内の洗濯水を出す排水ダクトが設けられ、この排水ダクトは、排水された洗濯水に含まれる糸屑やゴミ等の挟雑物を除去するフィルタ１６につながり、フィルタ１６により糸屑やゴミ等は除去される。フィルターケースには、水槽４内の洗濯水を洗濯機外部に排水するための排水ポンプ１５がつながる。
　【００４３】
　洗濯物を乾燥するために洗濯機本体１内には送風機９、ヒータ１０、ダクト１１から構成される乾燥ユニットと除湿用熱交換器６とが設けられている。除湿用熱交換器６は一端部が水槽４側面、または、端部と連通した、排気ダクト７と接続され、他端部は水槽４の上部の乾燥ユニットの送風機９へと接続される。冷却水用給水弁１９からは除湿用の冷却水が内部に入るようになっている。
　【００４４】
　乾燥工程時には、ヒータ１０によって温められ空気は、送風機９によりドラム２内部に送り込まれ、ドラム２内の漏れた洗濯物から蒸発した水分を含む高温多湿空気は水槽４の排気口８から排気ダクト７を通って、除湿用熱交換器６へ入る。冷却水用給水弁１９を介して給水された冷水の噴射が湿気を多量に含む温風に接触するときの熱交換によって、湿気が凝縮し水滴となって除去される。
　【００４５】
　除湿された温風は再び送風機９に送られて、ヒータ１０で再加熱されてドラム２に再循環される。水槽４の中心部を貫通してドラム２の回転中心であって投入口の反対側端部に水平な回転軸が固定して設けられており、この回転軸にはドラムプーリが固定されている。水槽４の下端部にはドラム駆動用モータ１４が設けられており、このモータ１４の回転軸とドラムプーリをベルトで連結している。これら水槽４、回転軸、ドラムプーリ、及び、ドラム駆動用モータ１４等の部品は洗濯機本体１に収容されている。
　【００４６】
　また、洗濯機本体１の前面上部には、運転／停止スイッチ、及び、各種操作スイッチ等のパネル入力部、ならびに、表示ランプ等の表示部が設けられた操作パネル２１が配置される。この操作パネル２１の内側部には洗濯機の電気的制御を行う制御装置２２が配設され、操作パネル２１からの信号線が接続される。制御装置２２には、ドア１２の開閉を検出するドアスイッチ、水槽４内の水位を水圧で検出する水位スイッチ、及び、モータ１４の回転を検出するタコメータの出力信号線が接続される。
　【００４７】
　図３は上記ドラム式乾燥洗濯機の制御装置２２の回路ブロック図であり、図３に示すように、制御装置２２は主に、電源部２４、表示部２１２、パネル入力部２１１、ドアスイッチ等の信号入力部２５、制御部２６、出力部２７、及び、負荷部２８から成る。
　【００４８】
　電源部２４は、コンセントプラグ２９から電源スイッチ３０を介して商用電源が入力されて、交流電源を変圧し、また、整流して制御用の直流電源を出力したりクロックパルスを発振出力する。表示部２１２は、前記表示ランプの他、ブザーも含まれる。制御部２６は、マイクロコンピュータから主になり洗濯機の動作に関する判断・指令を行うものであって、演算・記憶部を有している。
　【００４９】
　出力部２７は、制御部の指令にしたがってドライブ信号を出力するトライアックを含む半導体素子を有している。負荷部２８は、前記出力部のドライブ信号で作動し、送風機９、ヒータ１０、冷却水用給水弁１９、洗濯用給水弁１７、排水ポンプ１５、ドアロック機構、ドラム駆動用モータ１４の作動リレーを有している。
　【００５０】
　また、図４の操作部・表示部の３１は殺菌専用のコースを選択するためのキーであり、３２は当該キーが押された場合に点灯する表示であり、３３は残時間、及び選択された加熱温度を示すセグメント部である。３４は加熱温度を選択するためのキーであり、３５は進行表示である。
　【００５１】
　以下、本実施の形態の動作について説明をするが、基本的な洗いから乾燥に至る動作は従来のドラム式乾燥洗濯機とほぼ同様であり、その概要は次の通りである。
　【００５２】
　まず、洗い工程から脱水工程に至る運転の概略動作についてであるが、洗い工程はドラム２内に洗濯物をいれ、洗剤ケースに洗剤を入れて、電源を投入して、パネル入力部２１１にあるスタートキーを押すと、洗濯運転が開始される。つまり、ドア１２がロックされたあと、洗濯用給水弁１７を開けて所定水位まで給水し、洗剤を溶かした洗濯液を上方から流し込んで洗濯物に含ませる。
　【００５３】
　次にドラム２を低速回転させることにより洗いが行われる。ドラム２内の洗濯物は、ドラム２の回転による遠心力とバッフル３とでドラム２内の頂上付近まで持ち上げられた後、自重により落下する（タンブリングという）。このタンブリングを繰り返すことにより、洗濯物は落下時の衝撃力でたたき洗いされる。すすぎは回転ドラム２を低速回転することにより行われる。すすぎ終わると、ドラム２の回転は停止され、排水ポンプ１５がＯＮして洗濯液を機外に排出する。
　【００５４】
　洗濯、すすぎ工程を終了し、排水完了後、脱水工程に移り衣類のアンバランス修正を目的とした低速反転動作のアンバランス修正工程を行う。アンバランス修正工程終了後、衣類のアンバランス検知を目的とした低速回転のアンバランス検知工程を実施し、アンバランス検知レベル以下の場合は、ドラムの回転数を上げ、その時のドラムの回転による遠心力を利用して洗濯物をドラム２の周壁内面に押し付けるような形で脱水が行われる。
　【００５５】
　乾燥は、乾燥ヒータ１０によって温められた空気を、送風機９によりドラム２内部に送り込むことで行われる。ドラム２内の濡れた洗濯物から蒸発した水分を含む高温多湿空気は水槽４の排気口８から排気ダクト７を通って、除湿用熱交換器６へ入る。冷却水用給水弁１９を介して給水された冷水の噴射が湿気に接触するときの熱交換によって、湿気が凝縮する。冷却された乾燥空気は再び送風機９に送られて、ヒータ１０で再加熱されてドラム２に再循環される。
　【００５６】
　次に、本発明の要旨である殺菌動作を図５に示すフローチャートと共に説明する。
　電源スイッチが押されると選択できるコース等の表示が点灯する。次に、本発明の殺菌専用のコースが選択され、恒温加熱の温度が設定されると、当該コースの専用表示３２が点灯する。
　【００５７】
　そして、スタートキーが押されると、進行表示３５が点灯から点滅に変わり容量センシングを行い、その結果をメモリする。次いで、ドラム２が回転を始めると同時に送風機９が運転を開始し、少し遅れてヒータ１０が入る。ドラム２からの排気温度が容量センシングや最初の温度設定で決定される所定の温度Ｔに達するまで加熱が継続される。
　【００５８】
　ドラム２の排気温度が所定の温度Ｔに達すると、セグメント表示部３３で残時間を表示すると共に、ヒータ１０をＯＮ／ＯＦＦさせ所定の温度幅に入るように制御する。所定の温度Ｔに到達してからの時間が容量センシングで決定される所定の時間ｔを経過するまで、この状態が保持される。
　【００５９】
　この所定時間ｔが経過した時点で、ヒータ１０の入力を遮断すると共に、冷却水用給水弁１９を開放し、排水ポンプ１５を動作させて冷却工程に入る。容量センシングで決定される所定時間が経過すると、冷却水用給水弁１９、送風機９、排水ポンプ１５、及びドラム２の回転を停止し、終了報知を行って、運転を終了する。
　【００６０】
　図６に図５で示した制御フローに基づく制御をした場合のドラム２の排気温度の変化、及びヒータ１０等の負荷の制御状況を示す。この場合の、ドラム２の排気温度Ｔ１、Ｔ２は各々７４℃、７２℃であり、ドラム２内の衣類の温度は８０〜８５℃程度に保持されている。また、昇温工程の運転時間は衣類の重量が１〜１．２ｋｇで約１５分程度であり、同重量の衣類を乾燥工程で昇温させる場合に比べ約１／２程度の時間となる。
　【００６１】
　【発明の効果】
　本発明の乾燥機は上記のような構成で、衣類の加熱殺菌だけを行う専用コースを設けているため、不必要な冷却水やヒータの電力を必要としなくなり、節水、省電力化が図れ、また、加熱期間中は除湿用熱交換器の機能を停止させるため、昇温時間が短縮され短時間で必要な殺菌効果が得られる。
　【００６２】
　そして、通常の衣類乾燥機にはない容量センシング機能を利用して、きめ細かな、かつ精度の高い制御が可能となり、そしてまた、ヒータ、送風機等の乾燥に必要な部品だけを共用するため、安価に殺菌機能の高い乾燥洗濯機を提供することができる。さらに、専用キー、表示を設ける等、使用性にすぐれた殺菌機能を有する乾燥洗濯機を提供することができる。
【図面の簡単な説明】
　【図１】
　本発明によるドラム式乾燥洗濯機の内部構造を示す概略縦断正面図である。
　【図２】
　本発明によるドラム式乾燥洗濯機の内部構造を示す概略縦断側面図である。
　【図３】
　本発明によるドラム式乾燥洗濯機の制御装置のブロック図の一実施の形態である。
　【図４】
　本発明によるドラム式乾燥洗濯機の表示・操作部の一実施の形態である。
　【図５】
　本発明によるドラム式乾燥洗濯機の制御フローチャートの一実施の形態である。
　【図６】
　図５の制御フローチャートに基づく運転を行った場合の運転状態を示すタイミングチャートである。
　【図７】
　従来のドラム式乾燥洗濯機の内部構造を示す概略縦断正面図である。
　【図８】
　従来のドラム式乾燥洗濯機の内部構造を示す概略縦断側面図である。
　【符号の説明】
　１　洗濯機本体
　２　ドラム
　３　バッフル
　４　水槽
　５　防振機構
　６　除湿用熱交換器
　７　排気ダクト
　８　排気口
　９　送風機
　１０　ヒータ
　１１　送風ダクト
　１２　ドア
　１３　ドアパッキン
　１４　駆動モータ
　１５　排水ポンプ
　１６　糸くずフィルタ
　１７　洗濯用給水弁
　１８　排水ホース
　１９　冷却水用給水弁
　２０　温度センサ
　２１　操作パネル
　２２　制御装置
　２３　給水ホース
　２４　電源部
　２５　信号入力部
　２６　制御部
　２７　出力部
　２８　負荷部
　２９　コンセントプラグ
　３０　電源スイッチ
　３１　殺菌コースキー
　３２　殺菌コース表示部
　３３　セグメント表示部
　３４　加熱温度選択キー
　３５　進行表示部